(57)【要約】【課題】インクリボンに設けられた初期位置境界線の移動速度を測定し、インクリボンに設けられた色相境界線の幅を感知してインクリボンの使用量を検出する。【解決手段】透光性シートにインク層が形成され、単位印刷媒体を印刷するためのインク層の初期位置を表す初期位置境界線と、インク層の色相を区切る色相境界線とを備えるインクリボンと、初期位置境界線の移動速度を測定してインクリボンの使用量を検出する第１使用量検出部４１０および第２使用量検出部４２０と、を含むことを特徴とする、画像形成装置が提供される。【選択図】図４
2007045155.tif 000002
【特許請求の範囲】
【請求項１】
透光性シートにインク層が形成され、単位印刷媒体を印刷するための前記インク層の初期位置を表す初期位置境界線と、前記インク層の色相を区切る色相境界線とを備えるインクリボンと；
前記初期位置境界線の移動速度を測定して前記インクリボンの使用量を検出する使用量検出部と；
を含むことを特徴とする、画像形成装置。
【請求項２】
前記使用量検出部は、
前記初期位置境界線の移動速度を測定し、測定された前記移動速度の結果を出力する移動速度測定部と；
前記初期位置境界線の移動速度に対応するインクリボンの使用量を保存する使用量保存部と；
前記移動速度測定部から出力された結果に対応するインクリボンの使用量を前記使用量保存部から読み出す使用量決定部と；
を含むことを特徴とする、請求項１に記載の画像形成装置。
【請求項３】
前記初期位置境界線は、
不透明な第１境界線および第２境界線を含むことを特徴とする、請求項１または２に記載の画像形成装置。
【請求項４】
前記移動速度測定部は、
前記第１境界線及び前記第２境界線を感知し、感知した結果を出力する境界線感知部と；
前記境界線感知部から出力された結果に応答して前記初期位置境界線の移動速度を算定する移動速度算定部と；
を含むことを特徴とする、請求項３に記載の画像形成装置。
【請求項５】
前記インクリボンは、既定の周期ごとに反復して前記色相境界線の幅が異なって設けられることを特徴とする、請求項１に記載の画像形成装置。
【請求項６】
前記使用量検出部は、
前記初期位置境界線の移動速度を測定し、測定された前記移動速度の結果を出力する移動速度測定部と；
前記初期位置境界線の移動速度に対応して前記周期で分類されたインクリボンの使用量範囲を保存する範囲保存部と；
前記移動速度測定部から出力された結果に対応する前記インクリボンの使用量範囲を前記範囲保存部から読み出す範囲決定部と；
前記色相境界線の幅を感知して、読み出された前記インクリボンの使用量範囲でインクリボンの使用量を算出する使用量算出部と；
を含むことを特徴とする、請求項５に記載の画像形成装置。
【請求項７】
前記使用量算出部は、前記インクリボンの使用量を、数式１を利用して算出することを特徴とする、請求項６に記載の画像形成装置。
【数１】
2007045155.tif 000009
（ここで、ＡＴＭは、インクリボンの使用量であり、ＮＵＭｒｎｇは、前記インクリボンの使用量範囲が配列された順序であり、Ｔは、１つの周期に含まれたインクリボンの使用量であり、ＮＵＭｗｉｄは、感知された前記色相境界線の幅に対応して前記周期で配列された順序である）
【請求項８】
前記初期位置境界線は、不透明な第１境界線及び第２境界線を含むことを特徴とする、請求項６に記載の画像形成装置。
【請求項９】
前記移動速度感知部は、
前記第１境界線及び前記第２境界線を感知し、感知した結果を出力する境界線感知部と；
前記境界線感知部で感知された結果に応答して前記初期位置境界線の移動速度を算定する移動時間算定部と；
を含むことを特徴とする、請求項８に記載の画像形成装置。
【請求項１０】
前記インクリボンは、既定の周期ごとに反復して前記色相境界線の幅が異なって設けられることを特徴とする請求項２に記載の画像形成装置。
【請求項１１】
前記使用量決定部から読み出されたインクリボンの使用量が２つ以上読み出されるかどうかを判断し、判断した結果を出力する読出し値比較部と；
前記初期位置境界線の移動速度に対応して前記周期で分類されたインクリボンの使用量範囲を保存する範囲保存部と；
前記読出し値比較部から出力された結果に応答して、前記移動速度測定部で測定された結果に対応するインクリボンの使用量範囲を前記範囲保存部から読み出す範囲決定部と；
前記色相境界線の幅を感知して、前記読み出されたインクリボンの使用量範囲でインクリボンの使用量を算出する使用量算出部と；
をさらに含むことを特徴とする、請求項１０に記載の画像形成装置。
【請求項１２】
透光性シートにインク層が形成され、単位印刷媒体を印刷するための前記インク層の初期位置を表す初期位置境界線と、前記インク層の色相を区切る色相境界線とが設けられたインクリボンを利用して印刷する画像形成装置における、インクリボンの使用量検出方法であって：
前記初期位置境界線の移動速度を測定する移動速度測定ステップと；
測定された前記移動速度を利用して前記インクリボンの使用量を検出する検出ステップと；
を含むことを特徴とするインクリボンの使用量検出方法。
【請求項１３】
前記検出ステップは、
前記初期位置境界線の移動速度に対応するインクリボンの使用量が保存された第１記録媒体から、測定された前記移動速度に対応するインクリボンの使用量を読み出すことを特徴とする、請求項１２に記載のインクリボンの使用量検出方法。
【請求項１４】
前記初期位置境界線は、不透明な第１境界線及び第２境界線が設けられることを特徴とする、請求項１３に記載のインクリボンの使用量検出方法。
【請求項１５】
前記移動速度測定ステップは、
前記第１境界線及び前記第２境界線を感知する感知ステップと；
前記感知ステップで感知された結果によって前記初期位置境界線の移動速度を算定する移動速度算定ステップと；
を含むことを特徴とする、請求項１４に記載のインクリボンの使用量検出方法。
【請求項１６】
前記インクリボンは、既定の周期ごとに反復して前記色相境界線の幅が異なって設けられることを特徴とする、請求項１２に記載のインクリボンの使用量検出方法。
【請求項１７】
前記検出ステップは、
前記初期位置境界線の移動速度に対応して前記周期で分類されたインクリボンの使用量範囲が保存された第２記録媒体から、測定された前記インクリボンの移動速度に対応するインクリボンの使用量範囲を読み出す読み出しステップと；
前記色相境界線の幅を感知して、読み出された前記インクリボンの使用量範囲から前記インクリボンの使用量を算出する使用量算出ステップと；
を含むことを特徴とする、請求項１６に記載のインクリボンの使用量検出方法。
【請求項１８】
前記使用量算出ステップは、
前記インクリボンの使用量を次の数式２を利用して算出することを特徴とする、請求項１７に記載のインクリボンの使用量検出方法：
【数２】
2007045155.tif 000010
（ここで、ＡＴＭは、インクリボンの使用量であり、ＮＵＭｒｎｇは、前記インクリボンの使用量範囲が配列された順序であり、Ｔは、一周期に含まれたインクリボンの使用量であり、ＮＵＭｗｉｄは、前記感知された色相境界線の幅に対応して前記周期で配列された順序である）
【請求項１９】
前記初期位置境界線は、不透明な第１境界線及び第２境界線を含むことを特徴とする、請求項１７に記載のインクリボンの使用量検出方法。
【請求項２０】
前記移動速度測定ステップは、
前記第１境界線及び前記第２境界線を感知する感知ステップと；
前記感知ステップで感知された結果を利用して前記初期位置境界線の移動速度を算定する移動速度算定ステップと；
を含むことを特徴とする、請求項１９に記載のインクリボンの使用量検出方法。
【請求項２１】
前記インクリボンは、既定の周期ごとに反復して前記色相境界線の幅が異なって設けられることを特徴とする、請求項１３に記載のインクリボンの使用量検出方法。
【請求項２２】
前記第１記録媒体から読み出された前記インクリボンの使用量が２つ以上読み出されるかどうかを判断する判断ステップと、
前記判断ステップで、前記インクリボンの使用量が２つ以上読み出されると判断されれば、前記初期位置境界線の移動速度に対応して前記周期で分類されたインクリボンの使用量範囲が保存された第２記録媒体から、感知された前記初期位置境界線の移動速度に対応するインクリボンの使用量範囲を読み出す読み出しステップと、
前記色相境界線の幅を感知して、読み出された前記インクリボンの使用量範囲でインクリボンの使用量を算出する使用量算出ステップと；
をさらに含むことを特徴とする、請求項２１に記載のインクリボンの使用量検出方法。
【請求項２３】
請求項１２〜２２のいずれか１項に記載のインクリボンの使用量検出方法をコンピュータで実行させるためのプログラムを記録した、コンピュータで読み取り可能な記録媒体。
【発明の詳細な説明】
【技術分野】
【０００１】
本発明は、プリンタ、ファクシミリおよび複合機（ＭＦＰ：Ｍｕｌｔｉ−Ｆｕｎｃｔｉｏｎ  Ｐｒｏｄｕｃｔ）のような画像形成装置に係り、より詳細には、透光性シートにインク層が形成されたインクリボンに熱ヘッドを利用して熱を加えて、印刷染料を用紙に転写させて画像を印刷する熱転写方式の画像形成装置に関する。
【背景技術】
【０００２】
図２に示したような昇華または溶融方式などの熱転写方式の画像形成装置は、転写用インクの供給源としてインクリボンが採用される。インクリボンは、通常カセットに収納されて画像形成装置に装着される。インクリボンには、印刷媒体２４０の大きさに対応するように区切られた複数の印刷領域が設けられる。印刷領域には所定の色相のインク層が形成されている。インクリボンは、供給リール２００と巻取リール２１０に巻き取られた状態でインクリボンカセットに収納される。センサー２３０は、インクリボンに形成されたインク層及び境界線を感知する。熱ヘッド（ＴＰＨ）２２０は、熱を発生してインクリボンの染料を用紙などの印刷媒体２４０に転写する。
【０００３】
インクリボンは、図１に示したように、単位印刷媒体を印刷するためのインク層の初期位置を表す初期位置境界線１００とインク層の色相を区切る色相境界線１１０とが設けられる。そして、画像形成装置は、インクリボンに設けられたＹ（ｙｅｌｌｏｗ）色相のインク層１２０、Ｍ（ｍａｇｅｎｔａ）色相のインク層１３０、Ｃ（ｃｙａｎ）色相のインク層１４０及びオーバーコーティングのインク層１５０のような各インク層に熱を加えて、印刷媒体に１６０に図１に図示されたように順次に転写して印刷する。
【０００４】
【特許文献１】特開２００２−１１６５８０号公報
【発明の開示】
【発明が解決しようとする課題】
【０００５】
インクリボンは、Ａ６サイズ、カードサイズなどの印刷媒体２４０の大きさ、染料（または顔料）の感度、オーバーコーティング領域の有無によって色々な種類がある。ユーザは用途に合わせて適切なインクリボンカセットを画像形成装置に装着する。したがって、インクリボンカセットに収納されたインクリボンを使用し尽くす前に他のインクリボンカセットに交換する場合がある。初期位置境界線１００を計数してインクリボンの使用量を検出した場合には、インクリボンカセットを交換する場合にはインクリボンの使用量を計数できないという問題点が生じる。そして、インクリボンカセットにメモリを備えてインクリボンの使用量を保存して検出した場合には、コスト高になるという問題点が生じる。
【０００６】
このように従来の画像形成装置でインクリボンの使用量及び残量を正確に検出できないので、インクリボンの取り替え時期が分からずに画像形成装置の使用において不便であるという問題点があった。
【０００７】
そこで、本発明は、上記問題に鑑みてなされたものであり、本発明の目的とするところは、インクリボンに設けられた初期位置境界線の移動速度を測定し、インクリボンに設けられた色相境界線の幅を感知してインクリボンの使用量を検出する、新規かつ改良されたインクリボンの使用量検出装置及び方法を提供することにある。
【課題を解決するための手段】
【０００８】
上記課題を解決するために、本発明のある観点によれば、透光性シートにインク層が形成され、単位印刷媒体を印刷するためのインク層の初期位置を表す初期位置境界線と、インク層の色相を区切る色相境界線とを備えるインクリボンと、初期位置境界線の移動速度を測定してインクリボンの使用量を検出する使用量検出部と、を含むことを特徴とする、画像形成装置が提供される。
【０００９】
使用量検出部は、初期位置境界線の移動速度を測定し、測定された移動速度の結果を出力する移動速度測定部と、初期位置境界線の移動速度に対応するインクリボンの使用量を保存する使用量保存部と、移動速度測定部から出力された結果に対応するインクリボンの使用量を使用量保存部から読み出す使用量決定部と、を含んでいてもよい。
【００１０】
初期位置境界線は、不透明な第１境界線および第２境界線を含んでいてもよい。また、移動速度測定部は、第１境界線及び第２境界線を感知し、感知した結果を出力する境界線感知部と、境界線感知部から出力された結果に応答して初期位置境界線の移動速度を算定する移動速度算定部と、を含んでいてもよい。
【００１１】
上記インクリボンは、既定の周期ごとに反復して色相境界線の幅が異なって設けられていてもよい。そして、使用量検出部は、初期位置境界線の移動速度を測定し、測定された移動速度の結果を出力する移動速度測定部と、初期位置境界線の移動速度に対応して周期で分類されたインクリボンの使用量範囲を保存する範囲保存部と、移動速度測定部から出力された結果に対応するインクリボンの使用量範囲を範囲保存部から読み出す範囲決定部と、色相境界線の幅を感知して、読み出されたインクリボンの使用量範囲でインクリボンの使用量を算出する使用量算出部と、を含んでいてもよい。
【００１２】
使用量算出部は、インクリボンの使用量を、数式１を利用して算出してもよい。
【数１】
2007045155.tif 000003
（ここで、ＡＴＭは、インクリボンの使用量であり、ＮＵＭｒｎｇは、インクリボンの使用量範囲が配列された順序であり、Ｔは、１つの周期に含まれたインクリボンの使用量であり、ＮＵＭｗｉｄは、感知された色相境界線の幅に対応して周期で配列された順序である）
【００１３】
初期位置境界線は、不透明な第１境界線及び第２境界線を含んでいてもよい。そして、移動速度感知部は、第１境界線及び第２境界線を感知し、感知した結果を出力する境界線感知部と、境界線感知部で感知された結果に応答して初期位置境界線の移動速度を算定する移動時間算定部と、を含んでいてもよい。
【００１４】
インクリボンは、既定の周期ごとに反復して色相境界線の幅が異なって設けられていてもよい。そして、使用量決定部から読み出されたインクリボンの使用量が２つ以上読み出されるかどうかを判断し、判断した結果を出力する読出し値比較部と、初期位置境界線の移動速度に対応して周期で分類されたインクリボンの使用量範囲を保存する範囲保存部と、読出し値比較部から出力された結果に応答して、移動速度測定部で測定された結果に対応するインクリボンの使用量範囲を範囲保存部から読み出す範囲決定部と、色相境界線の幅を感知して、読み出されたインクリボンの使用量範囲でインクリボンの使用量を算出する使用量算出部と、をさらに含んでいてもよい。
【００１５】
また、上記課題を解決するために、本発明の別の観点によれば、透光性シートにインク層が形成され、単位印刷媒体を印刷するためのインク層の初期位置を表す初期位置境界線と、インク層の色相を区切る色相境界線とが設けられたインクリボンを利用して印刷する画像形成装置における、インクリボンの使用量検出方法であって、初期位置境界線の移動速度を測定する移動速度測定ステップと、測定された移動速度を利用してインクリボンの使用量を検出する検出ステップと、を含むことを特徴とするインクリボンの使用量検出方法が提供される。
【００１６】
検出ステップは、初期位置境界線の移動速度に対応するインクリボンの使用量が保存された第１記録媒体から、測定された移動速度に対応するインクリボンの使用量を読み出すようにしてもよい。
【００１７】
初期位置境界線は、不透明な第１境界線及び第２境界線が設けられていてもよい。そして、移動速度測定ステップは、第１境界線及び第２境界線を感知する感知ステップと、感知ステップで感知された結果によって初期位置境界線の移動速度を算定する移動速度算定ステップと、を含んでいてもよい。
【００１８】
インクリボンは、既定の周期ごとに反復して色相境界線の幅が異なって設けられていてもよい。そして、検出ステップは、初期位置境界線の移動速度に対応して周期で分類されたインクリボンの使用量範囲が保存された第２記録媒体から、測定されたインクリボンの移動速度に対応するインクリボンの使用量範囲を読み出す読み出しステップと、色相境界線の幅を感知して、読み出されたインクリボンの使用量範囲からインクリボンの使用量を算出する使用量算出ステップと、を含んでいてもよい。
【００１９】
使用量算出ステップは、インクリボンの使用量を次の数式２を利用して算出してもよい。
【数２】
2007045155.tif 000004
（ここで、ＡＴＭは、インクリボンの使用量であり、ＮＵＭｒｎｇは、インクリボンの使用量範囲が配列された順序であり、Ｔは、一周期に含まれたインクリボンの使用量であり、ＮＵＭｗｉｄは、感知された色相境界線の幅に対応して周期で配列された順序である）
【００２０】
初期位置境界線は、不透明な第１境界線及び第２境界線を含んでいてもよい。そして、移動速度測定ステップは、第１境界線及び第２境界線を感知する感知ステップと、感知ステップで感知された結果を利用して初期位置境界線の移動速度を算定する移動速度算定ステップと、を含んでいてもよい。
【００２１】
インクリボンは、既定の周期ごとに反復して色相境界線の幅が異なって設けられてもよい。そして、上記インクリボンの使用量検出方法は、第１記録媒体から読み出されたインクリボンの使用量が２つ以上読み出されるかどうかを判断する判断ステップと、判断ステップで、インクリボンの使用量が２つ以上読み出されると判断されれば、初期位置境界線の移動速度に対応して周期で分類されたインクリボンの使用量範囲が保存された第２記録媒体から、感知された初期位置境界線の移動速度に対応するインクリボンの使用量範囲を読み出す読み出しステップと、色相境界線の幅を感知して、読み出されたインクリボンの使用量範囲でインクリボンの使用量を算出する使用量算出ステップと、をさらに含んでいてもよい。
【００２２】
また、上記課題を解決するために、本発明の別の観点によれば、上記のインクリボンの使用量検出方法をコンピュータで実行させるためのプログラムを記録した、コンピュータで読み取り可能な記録媒体が提供される。
【発明の効果】
【００２３】
以上説明したように本発明によれば、インクリボンに設けられた初期位置境界線の移動速度を測定し、インクリボンに設けられた色相境界線の幅を感知してインクリボンの使用量を検出する。
【００２４】
これにより、インクリボンを取り替える場合にもインクリボンの使用量を測定でき、インクリボンの使用量を保存するメモリのような追加的な装置なしにインクリボンの使用量が分かるのでコストダウンとなり、ユーザがインクリボンの使用量及び残量を正確に検出できて、インクリボンの取り替え時期を予想できるのでユーザに利便性を提供できる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
図４は、本発明の一実施形態にかかるインクリボンの使用量検出装置のブロック図を示す説明図であって、インクリボンの使用量検出装置は、移動速度測定部４００、第１使用量検出部４１０及び第２使用量検出部４２０を備えてなる。図３、図６〜図１１Ｄを参照して、本実施形態によるインクリボンの使用量検出装置の駆動について説明する。
【００２７】
インクリボン（図示せず）は、供給リール及び巻取リールに巻き取られた状態でインクリボンカセットに収納されて画像形成装置に装着され、印刷用紙のような印刷媒体の大きさに対応するように区切られ、所定色相のインク層が形成された複数の印刷領域が設けられる。
【００２８】
図６は、本発明の一実施形態にかかるインクリボンについて説明する説明図である。インクリボンは、透光性シートにＹ色相のインク層６４０、Ｍ色相のインク層６５０、Ｃ色相のインク層６６０及びオーバーコーティングのインク層６７０のようなインク層が形成され、不透明な初期位置境界線６００と色相境界線６０１〜６０４、６１１〜６１３、６２１〜６２３、６３１〜６３３とが設けられる。
【００２９】
初期位置境界線６００は、不透明な第１境界線６９０及び第２境界線６９１が設けられており、単位印刷媒体（例えば１枚のような所定の単位に分けた印刷媒体）を印刷するためのインク層の初期位置を表す。
【００３０】
色相境界線６０１〜６０４、６１１〜６１３、６２１〜６２３、６３１〜６３３は、不透明な一本の線が設けられており、インク層の色相を区切る。また、色相境界線６０１〜６０４、６１１〜６１３、６２１〜６２３、６３１〜６３３は、既定の周期ごとに反復して幅が異なるように設けられる。図６では、既定の周期を、インクリボンの使用量を４回に設定し、単位印刷媒体の印刷に使われる４個の色相境界線のうち一つの色相境界線６０１、６１１、６２２、６３３をそれぞれ選択して、選択された色相境界線の幅を、選択されていない色相境界線の幅より広く備えることによって区別する。Ｙ色相のインク層６４０の前に位置した第２境界線６０１の幅を広くすることで既定の周期で最初に配列されることを表し、Ｍ色相のインク層６５０の前に位置した色相境界線６１１の幅を広くすることで既定の周期で２番目に配列されることを表し、Ｃ色相のインク層６６０の前に位置した色相境界線６２２の幅を広くすることで既定の周期で３番目に配列されることを表し、オーバーコーティング６７０のインク層の前に位置した色相境界線６３３の幅を広くすることで既定の周期で４番目に配列されることを表す。このように、色相境界線６０１〜６０４、６１１〜６１３、６２１〜６２３、６３１〜６３３の幅が異なるように備えてインクリボンの使用量に対する既定の周期で配列された位置を区別できる。
【００３１】
図７は、本発明の一実施形態にかかるインクリボンカセットを示す説明図である。
【００３２】
図７に示したように、インクリボンカセットはインクリボンを収納する。インクリボンは、供給リール７００及び巻取リール７１０に巻き取られる。使われていないインクリボンは供給リール７００に巻き取られており、使われたインクリボンは巻取リール７１０に巻き取られる。
【００３３】
センサー７２０は、インクリボンに光を走査して、インクリボンから反射した光量によって、初期位置境界線６００に設けられた第１境界線６９０と第２境界線６９１及び色相境界線を感知する。図３は、センサー７２０で感知された結果を出力したタイミング図である。図３に示したように、センサー７２０は、透明層に該当するインクリボンに設けられたＹ色相のインク層６４０、Ｍ色相のインク層６５０、Ｃ色相のインク層６６０及びオーバーコーティングのインク層６７０ではローレベルを出力し、不透明層に該当する初期位置境界線６００に設けられた第１境界線６９０と第２境界線６９１及び色相境界線６０２〜６０４、６１１〜６１３、６２１〜６２３、６３１〜６３３ではハイレベルを出力する。ただし、センサー７２０から出力されるローレベル及びハイレベルは設定によって変わってもよい。
【００３４】
境界線基準間隔６８０は、第１境界線６９０の先端と第２境界線６９１の先端との間隔をいう。境界線基準間隔６８０は次の数式１で表現される。
【数３】
2007045155.tif 000005
（ここで、Ｌｔｄは、境界線基準間隔６８０であり、Ｒｒｒは、巻取リール７１０の半径であり、Ｗは、巻取リール７１０の回転角速度であり、Ｔｔｂは、第１境界線６９０が感知された後に第２境界線６９１が感知されるまで要する移動時間である）
【００３５】
上記数式１を整理してＴｔｂについて表せば、次の数式２で表現される。
【数４】
2007045155.tif 000006
【００３６】
数式２を分析すれば、Ｌｔｄ及びＷは固定された値であり、Ｒｒｒのみ変化する値である。インクリボンが使われて巻取リール７１０に巻き取られれば、巻取リール７１０の半径が増加するのでＲｒｒが増加し、Ｒｒｒが増加するにつれてＴｔｂは減少して初期位置境界線６００の移動速度は段々と速くなる。したがって、インクリボンの使用量が増加するほど、初期位置境界線６００の移動速度は順次速くなる。
【００３７】
図１０は、本発明の一実施形態にかかるインクリボンの使用量とインクリボンの移動時間との関係を示したグラフである。横軸は、インクリボンの使用量を表し、縦軸は、インクリボンの移動時間を表す。図１０のグラフを用いて説明すれば、インクリボンの使用量が増加するにつれてインクリボンの移動時間が短縮するので、インクリボンの使用量と移動時間は反比例する関係を有する。したがって、インクリボンの使用量が増加するほど最初位置境界線６００の移動速度は段々と速くなる。
【００３８】
図１１Ａ〜図１１Ｄは、インクリボンの移動時間をオシロスコープで測定した波形を示す説明図である。図１１Ａは、インクリボンが単位印刷媒体１枚を印刷した場合であり、図１１Ｂは、単位印刷媒体１１枚を印刷した場合であり、図１１Ｃは、単位印刷媒体２１枚を印刷した場合であり、図１１Ｄは、単位印刷媒体３１枚を印刷した場合に該当するインクリボンの移動時間をオシロスコープで測定した結果である。図１１Ａ〜図１１Ｄの波形について説明すると、図１０のようにインクリボンの使用量が増加するにつれてインクリボンの移動時間が短縮して反比例する関係を持ち、初期位置境界線６００の移動速度は段々と速くなるということが分かる。
【００３９】
移動速度測定部４００は、初期位置境界線６００の移動速度（または移動時間）を測定し、測定した結果を第１使用量検出部４１０に出力する。
【００４０】
移動速度測定部４００は、境界線感知部４０３及び移動速度算定部４０６を備えてなる。
【００４１】
境界線感知部４０３は、図７のセンサー７２０により第１境界線６９０及び第２境界線６９１を感知し、感知した結果を移動速度算定部４６０に出力する。
【００４２】
移動速度算定部４０６は、境界線感知部４０３で感知した結果に応答して、第１境界線６９０を感知した後から第２境界線６９１を感知するまでかかる移動時間Ｔｔｂを測定して初期位置境界線６００の移動速度を算定する。
【００４３】
第１使用量検出部４１０は、使用量決定部４１３及び使用量保存部４１６を備えてなる。
【００４４】
使用量決定部４１３は、移動速度算定部４０６で算定された初期位置境界線６００の移動速度に対応するインクリボンの使用量を、使用量保存部４１６を検索して読み出す。
【００４５】
使用量保存部４１６は、初期位置境界線６００の移動速度に対応するインクリボンの使用量を保存する。
【００４６】
図８は、本発明の一実施形態にかかる使用量保存部４１６に保存されたルックアップテーブル形態のデータを示す説明図である。
【００４７】
図８に示したように、初期位置境界線６００の移動速度の代わりに第１境界線６９０から第２境界線６９１まで移動するのにかかる移動時間Ｔｔｂを保存してもよい。ルックアップテーブルは、実験を通じて現れた結果を利用して作成されたデータである。
【００４８】
第２使用量検出部４２０は、読出し値比較部４２１、範囲決定部４２２、範囲保存部４２３、幅感知部４２４及び使用量算出部４２５を備えてなる。
【００４９】
読出し値比較部４２１は、使用量決定部４１３から読み出されたインクリボンの使用量が２つ以上読み出されるかどうかを判断し、判断した結果を範囲決定部４２２に出力する。これは測定誤差、例えばインクリボンの状態または測定正確度などによって初期位置境界線６００の移動速度によるインクリボンの使用数を正確に測定できない場合が発生して、移動速度算定部４０６で算定された初期位置境界線６００の移動速度に対応するインクリボンの使用量が複数個存在しうる。例えば、図８を見れば、初期位置境界線６００の移動時間が１０６ｍｓと測定される場合、移動時間１０６ｍｓに対応するインクリボンの使用量は１２回及び１３回であって、インクリボンの使用量が使用量決定部４１３で２つの値が読み出されて、インクリボンの使用量が１２回であるか、１３回であるかが分からない。
【００５０】
もし、読出し値比較部４２１で使用量決定部４１３からインクリボンの使用量が一つの値のみ読み出されたと判断されれば、使用量決定部４１３から読み出されたインクリボンの使用量をインクリボンの使用量と決定して出力する。
【００５１】
範囲決定部４２２は、読出し値比較部４２１から出力された結果に応答して、もし、インクリボンの使用量が２つ以上読み出されたと判断されれば、移動速度算定部４０６で算定された最初位置境界線６００の移動速度に対応するインクリボンの使用量範囲を範囲保存部４２３で読み出す。例えば、図９を参照すれば、もし、移動速度算定部４０６で１０６ｍｓの移動時間が測定される場合、図９で番号２に該当する移動時間Ｔｔｂの範囲である１０６ｍｓ以上１２１ｍｓ以下に対応する。
【００５２】
範囲保存部４２３は、初期位置境界線６００の移動速度に対応して既定の周期で分類されたインクリボンの使用量範囲を保存する。
【００５３】
図９は、本発明の一実施形態にかかる範囲保存部４２３に保存されたルックアップテーブル形態のデータを示す説明図である。図９に示したルックアップテーブルは、図８に示した使用量保存部４１６に保存されたインクリボンの使用量を、５回を周期として分類して保存したものである。
【００５４】
幅感知部４２４は、色相境界線６０１〜６０４、６１１〜６１３、６２１〜６２３、６３１〜６３３の幅を感知し、感知した結果を使用量算出部４２５に出力する。
【００５５】
使用量算出部４２５は、幅感知部４２４で感知された結果に応答して範囲決定部４２２から読み出された移動時間の範囲内でインクリボンの使用量を算出する。ここで、使用量算出部４２５は、インクリボンの使用量を次の数式３を利用して算出する。
【数５】
2007045155.tif 000007
（ここで、ＡＴＭは、インクリボンの使用量であり、ＮＵＭｒｎｇは、インクリボンの使用量範囲が配列された順序であり、Ｔは、一周期に含まれたインクリボンの使用量であり、ＮＵＭｗｉｄは、感知された色相境界線の幅に対応して上記周期で配列された順序である。）
【００５６】
例えば、移動速度算定部４０６で１０６ｍｓの移動時間が測定され、Ｙ色相のインク層６４０とＭ色相のインク層６５０との間に設けられた色相境界線６１１が幅感知部４２４で感知される場合、図９に示した範囲保存部４２３に保存されたルックアップテーブルにおいて、移動時間Ｔｔｂは１０６ｍｓ以上１２１ｍｓ以下に属するので、番号２に対応する。従ってＮＵＭｒｎｇは２であり、図９に示したように移動時間の範囲を、インクリボン使用量が５回を１周期として区分したので、Ｔは５である。そして、Ｙ色相のインク層６４０とＭ色相のインク層６５０との間に設けられた色相境界線６１１が幅感知部４２４で感知されたので、周期内で２番目に配列されているため、ＮＵＭｗｉｄは２である。よって、ＡＴＭ＝２×５＋２＝１２であり、インクリボンの使用量は１２回となる。
【００５７】
図５は、本発明の一実施形態にかかるインクリボンの使用量検出方法について説明する流れ図である。
【００５８】
まず、図７のセンサー７２０により第１境界線６９０及び第２境界線６９１を感知する（ステップ５００）。
【００５９】
ステップ５００で感知された結果を利用して第１境界線６９０が感知された後、第２境界線６９１が感知されるまでかかる時間を測定して初期位置境界線６００の移動速度を算定する（ステップ５１０）。
【００６０】
ステップ５１０で算定された初期位置境界線６００の移動速度に対応するインクリボンの使用量を、第１記録媒体で検索して読み出す（ステップ５２０）。ここで、第１記録媒体は、初期位置境界線６００の移動速度に対応するインクリボンの使用量を保存する。
【００６１】
ステップ５２０で読み出されたインクリボンの使用量が２つ以上読み出されるかどうかを判断する（ステップ５３０）。
【００６２】
もし、ステップ５３０で２つ以上読み出されていないと判断されれば、読み出されたインクリボンの使用量を出力する（ステップ５４０）。
【００６３】
もし、ステップ５３０で２つ以上読み出されたと判断されれば、ステップ５１０で算定された移動速度に対応するインクリボンの使用量範囲を第２記録媒体から読み出す（ステップ５５０）。ここで、第２記録媒体は、初期位置境界線６００の移動速度に対応して既定の周期で分類されたインクリボンの使用量範囲を保存する。
【００６４】
ステップ５５０の後に、各色相境界線６０２〜６０４、６１１〜６１３、６２１〜６２３、６３１〜６３３の幅を感知する（ステップ５６０）。
【００６５】
ステップ５６０で感知された色相境界線の幅を利用して、ステップ５５０で読み出されたインクリボンの使用量範囲でインクリボンの使用量を算出する（ステップ５７０）。ステップ５７０は、インクリボンの使用量を次の数式４を利用して算出する。
【数６】
2007045155.tif 000008
（ここで、ＡＴＭは、インクリボンの使用量であり、ＮＵＭｒｎｇは、インクリボンの使用量範囲が配列された順序であり、Ｔは、１周期に含まれたインクリボンの使用量であり、ＮＵＭｗｉｄは、感知された色相境界線の幅に対応して上記１周期で配列された順序である。）
【００６６】
ステップ５７０でインクリボンの使用量を算出すると、ステップ５７０で算出されたインクリボンの使用量を出力する（ステップ５８０）。
【００６７】
本実施形態は、コンピュータで読み取り可能な記録媒体にコンピュータ（情報処理機能を持つ装置をいずれも含む）で読み取り可能なコードとして具現することができる。コンピュータで読み取り可能な記録媒体は、コンピュータシステムによって読み取られるデータが保存されるあらゆる種類の記録装置を含む。コンピュータで読み取り可能な記録装置の例には、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置などがある。
【００６８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６９】
【図１】従来のインクリボン及びインクリボンによって出力された結果を示す図面である。
【図２】従来の熱転写方式の画像形成装置の概念図である。
【図３】本発明の一実施形態にかかるセンサーで感知された結果を出力したタイミング図である。
【図４】本発明の一実施形態にかかるインクリボンの使用量検出装置を示すブロック図である。
【図５】本発明の一実施形態にかかるインクリボンの使用量検出方法を示す流れ図である。
【図６】本発明の一実施形態にかかるインクリボンを示す説明図である。
【図７】本発明の一実施形態にかかるインクリボンカセットを示す説明図である。
【図８】本発明の一実施形態にかかる使用量保存部に保存されたルックアップテーブル形態のデータを示す図面である。
【図９】本発明の一実施形態にかかる範囲保存部に保存されたルックアップテーブル形態のデータを示す図面である。
【図１０】インクリボンの使用量とインクリボンの移動時間との関係を示すグラフである。
【図１１Ａ】インクリボンの移動時間をオシロスコープで測定した波形を示す説明図である。
【図１１Ｂ】インクリボンの移動時間をオシロスコープで測定した波形を示す説明図である。
【図１１Ｃ】インクリボンの移動時間をオシロスコープで測定した波形を示す説明図である。
【図１１Ｄ】インクリボンの移動時間をオシロスコープで測定した波形を示す説明図である。
【符号の説明】
【００７０】
４００    移動速度測定部
４０３    境界線感知部
４０６    移動速度算定部
４１０    第１使用量検出部
４１３    使用量決定部
４１６    使用量保存部
４２０    第２使用量検出部
４２１    読出し値比較部
４２２    範囲決定部
４２３    範囲保存部
４２４    幅感知部
４２５    使用量算出部
【図２】
2007045155.tif 000011
【図３】
2007045155.tif 000012
【図４】
2007045155.tif 000013
【図５】
2007045155.tif 000014
【図６】
2007045155.tif 000015
【図７】
2007045155.tif 000016
【図８】
2007045155.tif 000017
【図９】
2007045155.tif 000018
【図１０】
2007045155.tif 000019
【図１】
2007045155.tif 000020
【図１１Ａ】
2007045155.tif 000021
【図１１Ｂ】
2007045155.tif 000022
【図１１Ｃ】
2007045155.tif 000023
【図１１Ｄ】
2007045155.tif 000024